(57)【特許請求の範囲】
【請求項１】
発光素子を点滅発光させる制御回路に、標準電波受信アンテナとこのアンテナで受信した標準電波の１秒信号に同期して前記発光素子を点滅させる同期回路を組み込むことにより、同一箇所に設置された視線誘導標の点滅をすべて同期するように構成して成る自発光式標識において、前記視線誘導標の反射板の正面にモーターにより駆動する回転式のワイパーを取り付けると共に、このワイパーは、昼夜検出センサから出力される日没時と夜明け時の検出信号により、日没時と夜明け時に数秒間駆動して反射板面の汚れを払拭するように構成して成る自発光式標識。
【請求項２】
発光素子にＬＥＤが用いられていることを特徴とする請求項１記載の自発光式標識。
【請求項３】
発光素子及びワイパー駆動用の電源に太陽電池が用いられていることを特徴とする請求項１記載の自発光式標識。
【発明の詳細な説明】
【０００１】
【発明の属する技術分野】
本発明は、道路のカーブ箇所や障害物あるいは歩車道分離用等に用いられる自発光式視線誘導標を含む各種点滅式交通標識及びその他の点滅式標識に関し、更に詳しくは、反射板の裏側にＬＥＤ等のような発光素子を組み込み、この発光素子を夜間点滅するように構成すると共に反射板の正面にモーター駆動により回転するワイパーを取り付けた自発光式視線誘導標を含む各種点滅式の自発光式標識に関する。
【０００２】
【従来の技術】
道路が急カーブしているような場合には、このカーブのガードレールに沿ってヘッドライトの光を反射する反射板式の視線誘導標を取り付けたり、更に夜間における注意を惹くように、ＬＥＤ等の発光素子を太陽電池あるいは商用電源等を用いて点滅発光させる方式の所謂自発光式視線誘導標が公知である。
又、このような標識には、汚れて機能が減退するのを防ぐために、反射板の正面に風車式のワイパー(払拭器)を取り付けたり、太陽電池あるいは商用電源等を用いるモーター駆動方式のワイパーを取り付けたもの等がある。
【０００３】
本発明は、従来の太陽電池や商用電源等を用いて自発光する標識であって、点滅式において、標識ごとにその点滅タイミングがバラバラであることから、注意が散漫となったり、点滅がうるさく、いらついたりすると云う欠点があることから、これを解消するために、一つの場所、現場等に設置されている複数の標識の点滅をすべて同期させることにより、注意が散漫となったり、いらついたりすることのない自発光式標識において、誘導標の正面に取り付けられたワイパーが回転したときに、反射板(レンズ)やブレードを傷つけたりしない自発光式標識を提供することである。
【０００４】
【課題を解決するための手段】
上記目的を達成するため、請求項１に記載の発明においては、発光素子を点滅発光させる制御回路に、標準電波受信アンテナとこのアンテナで受信した標準電波の１秒信号に同期して前記発光素子を点滅させる同期回路を組み込むことにより、同一箇所に設置された視線誘導標の点滅をすべて同期するように構成して成る自発光式標識において、前記視線誘導標の反射板の正面にモーターにより駆動する回転式のワイパーを取り付けると共に、このワイパーは、昼夜検出センサから出力される日没時と夜明け時の検出信号により、日没時と夜明け時に数秒間駆動して反射板面の汚れを払拭するように構成して成ることを特徴とするものである。
【０００５】
更に、請求項２に記載の発明においては、請求項１記載の自発光式標識において、発光素子にＬＥＤが用いられていることを特徴とするものである。
【０００６】
更に、請求項３に記載の発明においては、請求項１記載の自発光式標識において、発光素子及びワイパー駆動用の電源に太陽電池が用いられていることを特徴とするものである。
【０００７】
【発明の実施の形態】
図１〜図４は、本発明を自発光式標識であって、視線誘導標に実施した場合の構成とその設置例を示すものである。これら図１〜図４において、符号の１は視線誘導標ケース、２はこのケース１の正面を覆う反射板(レンズ)、３は反射板２の裏側に等間隔で８ヶ組み込まれたＬＥＤ、４はケース１の天面に組み込まれた電気二重層コンデンサー４ａ付の太陽電池、５は反射面２の正面にケース１内から突出させた回転軸６に取り付けられたワイパーであって、このワイパー５にはゴム製のブレード７が取り付けられている。
【０００８】
図２において、８は制御回路取付プレートであって、このプレート８には、前記ワイパー５の回転軸６をギヤー９を経由して回転するための駆動モーター１０及び制御回路１３が取り付けられている。
１１、１１ａは標準電波(ＪＪＹ)を受信するためのアンテナであって、本例においては、指向性を考慮して２ヶ取り付けられている。１２はケース１に取り付けられた昼夜検出センサー(照度検出センサー)である。
図３は制御回路１３の構成図であって、この図３において、１４は充放電制御回路、１５は標準電波の１秒信号に同期してＬＥＤ３を点滅させ、結果として他の視線誘導標の点滅と同期させるための同期回路、１１ｂはＪＪＹ受信機である。図１〜図４において、１ａはケース１の下部に形成されたケース取付部、図４において、１６は誘導標取付支柱、１７はガードレールである。
【０００９】
制御回路１３の太陽電池４は、太陽エネルギーで起電力を発生し、この電力は電気二重層コンデンサー４ａに蓄電されている。そして、昼夜検出センサー１２は、視線誘導標が設置された場所の明るさを検出していて一定の暗さ(日没)になると信号を出力して充放電制御回路１４を閉成し、ＬＥＤ３及び駆動モーター１０に太陽電池４(電気二重層コンデンサー４ａ)から給電を行う。太陽電池４からの給電によりＬＥＤ３が点滅を開始し、同時に駆動モーター１０が駆動してギヤー９を経由して回転軸６を回転し、この回転軸６に取り付けられたワイパー５を実施例の場合２秒間(約４回転)させる。
【００１０】
ＬＥＤ３の点滅は夜間継続するが、この点滅は、アンテナ１１、１１ａで受信した標準電波の１秒信号に同期して点滅する。
視線誘導標の周囲が明るくなって来て、夜明けを昼夜検出センサー１２が検出すると、ＬＥＤ３に対する給電を停止すると同時に、駆動モーター８に対して２秒間給電を行ってワイパー５を駆動する。このようにして、ワイパー５は１日に２回、日没時と夜明け時に駆動される。なお、ワイパー５は、ＬＥＤ３の点滅２秒前に回転し、ＬＥＤ３と同時に停止するように制御しても良い。
上記した視線誘導標の場合、８ヶのＬＥＤ３のうち１ヶおきに４ヶ(Ａ作業)が発光したとき、他の４ヶ(Ｂ作業)は消光すると云う交互点滅方式としているが、全体が同時に点滅したり、あるいは走査点滅としたりしても良く、本発明において、点滅とは、ＬＥＤ３のすべてが同時点滅する場合及び１ヶおきに点滅する場合、及びグループごとに点滅する場合、及び走査点滅の４例を含むものである。
【００１１】
【実施例】
・ワイパー５の回転時間
日没時、夜明け時各々２秒間に５回転、モータ１０の回転数無負荷時約１２  ０ｒｐｍ
・ＬＥＤ３の点滅
夜間、周囲照度１００±５０ＬＸ以下で動作。この動作は、８ヶのＬＥＤ３  がすべて同期点滅と４ヶずつ交互に点滅の２パターンがある。
ＬＥＤ３の点滅間隔は１秒間で、発光時間は０.０２秒間。
・使用ＬＥＤ３の特徴
発光色はオレンジ、光度は標準７０００ｍｃｄ／１ヶ
・点滅同期はアンテナ１１、１１ａでＪＪＹ電波受信(受信周波数４０又は６０ＫＨｚ)
・太陽電池４は多結晶シリコン太陽電池
最大出力３７２ｍＷ
最大出力電圧８.１Ｖ
最大出力動作電流４６ｍＡ
・コンデンサーは電気二重層コンデンサー
電圧６.９Ｖ、容量１２０Ｆ
【００１２】
上記した実施例の視線誘導標の電源は太陽電池４であるが、この太陽電池４からではなく、ＡＣあるいはバッテリー等からの電力を所要の手段を講じた上で電源として用いる場合もある。また、実施例は、ワイパー５付のもので説明したが、このワイパー５がついていない視線誘導標にも本発明の同期点滅方式は実施化が可能である。
【００１３】
図４は道路の急カーブ箇所のガードレール１７に沿って本発明に係る視線誘導標を支柱１６を用いて設置した例であって、図４では２ヶの視線誘導標のみを表わしているが、この急カーブ箇所のガードレール１７に沿って設置されているすべての視線誘導標のＬＥＤ３は、すべて標準電波からの１秒信号を受けて同期点滅する。
【００１４】
【発明の効果】
本発明は以上のように、同一箇所に設置された視線誘導標を含む標識は、すべて同期して点滅するため、視線の注意を喚起して安全性を向上させることができると共に、標識ごとに不規則に点滅しないため、特に視線誘導標等の交通標識の場合、いらつくこともなく、更に、標準電波の１秒信号を同期手段に用いたことにより、同一場所の視線誘導標等を電気的に関連づける必要がなく、設備コストが安くて済むと共に、同期手段が故障した場合、１ヶだけで済む構成の自発光式標識において、ワイパーを日没時と夜明け時のみ数秒間駆動させることにより、朝、夕の露が反射板面に付着することから、この露がワイパーのウォッシャー液の役割をする。この結果、ワイパーのプレート及び反射板面(レンズ)を傷つける心配がないと共に、ワイパーの回転にかかる負荷も小さくなるため、部材の耐久性が向上する。更に、濡れ効果により、奇麗に払拭することができる。
【図面の簡単な説明】
【図１】  本発明に係る視線誘導標の正面図。
【図２】  本発明に係る視線誘導標の一部切欠側面図。
【図３】  制御回路の説明図。
【図４】  急カーブ箇所のガードレールに本発明に係る視線誘導標を設置した例の説明図。
【符号の説明】
１  ケース
２  反射板
３  ＬＥＤ
４  太陽電池
４ａ  電気二重層コンデンサー
５  ワイパー
６  回転軸
７  ブレード
８  プレート
９  ギヤー
１０  モーター
１１、１１ａ  アンテナ
１１ｂ  ＪＪＹ受信機
１２  昼夜検出センサー
１３  制御回路
１４  充放電制御回路
１５  同期回路
１６  誘導標取付支柱
１７  ガードレール
【図１】
0003673803.tif 000002
【図２】
0003673803.tif 000003
【図３】
0003673803.tif 000004
【図４】
0003673803.tif 000005